(57)【要約】【課題】従来の記録紙の搬送方向が装置本体の左右方向である形式の画像記録装置の場合、記録紙の搬送方向（装置本体の左右方向）と、排出された記録紙の取り出し方向（操作部が備えられ、作業者が操作を行う方向であり通常は装置本体手前側）とが略直交し、装置本体の前後方向（手前・奥方向）に関してセンター揃えされた状態で排出されるので、サイズの異なる記録紙が排出トレイ上で積層した状態にあるときは、左右方向に関して記録紙縁部が揃えられていたものが記録紙の取り出し時に乱れる場合があった。【解決手段】装置本体の手前側に操作パネルを備え、記録済みの記録紙を、左右方向より記録紙排出部５に排出する画像記録装置において、記録紙３１・３２・３３のサイズに関わらず、記録済みの記録紙を、装置本体手前側の縁部が揃った状態で排出するように構成した。【選択図】        図３
2004168471.tif 000002
【特許請求の範囲】
【請求項１】
装置本体の手前側に操作部を備え、記録済みの記録紙を、左右方向より記録紙排出部に排出する画像記録装置であって、
記録紙のサイズに関わらず、記録紙排出部上の記録済みの記録紙を、装置本体手前側の縁部が揃った状態とする手段を備えた画像記録装置。
【請求項２】
複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、
該複数の記録紙収容部間で、収容される記録紙のサイズに関わらず、各記録紙収容部に収容された記録紙の装置本体手前側の縁部を平面視において同一平面内に揃える手段を備えた画像記録装置。
【請求項３】
記録紙収容部に収容された記録紙の装置本体手前側の縁部を平面視において同一平面内に揃える手段として、該記録紙収容部の装置本体手前側には固定式の第一位置決め部材が設けられ、装置本体奥側に設けられた可動式の第二位置決め部材により、記録紙を第一位置決め部材に押し当てることを特徴とする請求項２に記載の画像記録装置。
【請求項４】
複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、
記録紙排出部に排出された記録済みの記録紙を、記録紙排出部の装置本体手前側に設けられた位置決め部まで寄せる手段を備えた画像記録装置。
【請求項５】
前記記録済みの記録紙を位置決め部まで寄せる手段として、可動式の押し当て部材により、装置本体奥側から記録済みの記録紙を装置本体手前側の位置決め部に押し当てることを特徴とする請求項４に記載の画像記録装置。
【請求項６】
前記記録済みの記録紙を位置決め部まで寄せる手段として、記録紙排出部の排出面を、装置本体手前側が低くなるように傾斜させたことを特徴とする請求項４に記載の画像記録装置。
【発明の詳細な説明】
【０００１】
【発明の属する技術分野】
本発明は、装置本体の手前側に操作部を備え、記録済みの記録紙を、装置本体の左右方向より記録紙排出部に排出する画像記録装置の技術に関する。
詳細には、記録紙排出部に排出される記録紙のサイズに関わらず、記録済みの記録紙の装置本体手前側の縁部を揃える技術に関する。
【０００２】
【従来の技術】
従来から、記録紙排出部の全部または略全部が装置本体内部空間（読取部の直下の空間）に配置されており、装置本体外部にはほとんど（または全く）突出していない胴内排紙型の画像記録装置であって、装置本体の手前側に操作部を備え、記録済みの記録紙を、装置本体の左右方向より記録紙排出部に排出する画像記録装置の技術は公知となっている。
また、特開平１１−２３６１６０号公報に記載の如く、記録紙のサイズに応じて、記録紙の搬送方向である装置本体の左右方向にスライドする案内部材と、装置本体の左右方向に略垂直な案内面とを備え、記録紙のサイズに関わらず、記録済みの記録紙を左右方向に関して一端の縁部が揃った状態で排紙トレイに積載する技術も公知となっている。
【０００３】
【特許文献１】
特開平１１−２３６１６０号公報
【０００４】
【発明が解決しようとする課題】
従来の胴内排紙型で記録紙の搬送方向が装置本体の左右方向である形式の画像記録装置の場合、図８に示す如く、異なるサイズの記録紙３１・３２・３３を記録紙排出部（記録紙排出トレイ５）に排出したときには、記録紙は通常、装置本体の前後方向（手前・奥方向）に関してセンター揃えされた状態で排出される。しかし、記録紙の搬送方向が装置本体の左右方向で、胴内排紙型の画像記録装置の場合、記録紙の搬送方向（装置本体の左右方向）と、排出された記録紙の取り出し方向（操作部が備えられ、作業者が該操作部の操作を行う方向であり、通常は装置本体手前側）とが略直交するため、サイズの異なる記録紙が排出トレイ上で積層した状態にあるときは、左右方向に関して記録紙縁部が揃えられていたものが記録紙の取り出し時に乱れる場合があった。特に小サイズの記録紙を使用する場合、装置外部への記録紙の視認性・取り出し性に問題があった。
また、特開平１１−２３６１６０号公報に記載の画像記録装置の場合、記録紙排出部からの取り出し性を向上させるために、記録紙を取り出す方向である装置本体手前側から見て左右の縁部を揃える技術が開示されているが、取り出し性の向上に最も効果がある装置本体手前側（記録紙を取り出す方向）へ記録紙の縁部を揃える技術については開示されていない。
このように、特に小サイズの記録紙について、排紙方向と直交する方向からの視認性・取り出し性を向上させる技術は新規である。
本発明は以上の状況に鑑み、記録紙の搬送方向が装置本体の左右方向である形式の画像記録装置において、記録紙排出部に積層された記録紙を、通常、記録紙を取り出す方向である装置本体手前側の記録紙縁部を揃えた状態とし、記録紙取り出し時の作業性を向上させるものである。
【０００５】
【課題を解決するための手段】
本発明の解決しようとする課題は以上の如くであり、次にこの課題を解決するための手段を説明する。
【０００６】
即ち、請求項１においては、装置本体の手前側に操作部を備え、記録済みの記録紙を、左右方向より記録紙排出部に排出する画像記録装置であって、
記録紙のサイズに関わらず、記録紙排出部上の記録済みの記録紙を、装置本体手前側の縁部が揃った状態とする手段を備えたものである。
【０００７】
請求項２においては、複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、
該複数の記録紙収容部間で、収容される記録紙のサイズに関わらず、各記録紙収容部に収容された記録紙の装置本体手前側の縁部を平面視において同一平面内に揃える手段を備えたものである。
【０００８】
請求項３においては、記録紙収容部に収容された記録紙の装置本体手前側の縁部を平面視において同一平面内に揃える手段として、該記録紙収容部の装置本体手前側には固定式の第一位置決め部材が設けられ、装置本体奥側に設けられた可動式の第二位置決め部材により、記録紙を第一位置決め部材に押し当てるものである。
【０００９】
請求項４においては、複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、記録紙排出部に排出された記録済みの記録紙を、記録紙排出部の装置本体手前側に設けられた位置決め部まで寄せる手段を備えたものである。
【００１０】
請求項５においては、前記記録済みの記録紙を位置決め部まで寄せる手段として、可動式の押し当て部材により、装置本体奥側から記録済みの記録紙を装置本体手前側の位置決め部に押し当てるものである。
【００１１】
請求項６においては、前記記録済みの記録紙を位置決め部まで寄せる手段として、記録紙排出部の排出面を、装置本体手前側が低くなるように傾斜させたものである。
【００１２】
【発明の実施の形態】
次に、発明の実施の形態を説明する。
図１は本発明の実施の一形態である画像記録装置の全体斜視図、図２は本発明の第一実施例における第二オプションカセットを示す斜視図、図３は本発明の実施の一形態である画像記録装置の記録紙排出トレイに排出された記録紙を示す模式図、図４は本発明の第二実施例における記録紙排出トレイの平面模式図、図５は本発明の第二実施例における待機状態の押し当て部材を示す側面模式図、図６は本発明の第二実施例における縁部揃え時の押し当て部材を示す側面模式図、図７は本発明の第三実施例における記録紙排出トレイを示す模式図、図８は従来の画像記録装置における記録紙排出トレイの平面模式図である。
【００１３】
本発明の画像記録装置の構成について説明する。
なお、以後の説明では便宜上、図１中の矢印Ａの方向を「装置本体の奥側から手前側への方向」（装置本体の前方）、矢印Ｂの方向を「装置本体の右側から左側への方向」（装置本体の左方向）とする。
【００１４】
図１に示す如く、本発明の画像記録装置の実施の一形態であるファクシミリ装置１０１は、記録部１の上方に読取部２を配置して構成されている。
該記録部１においては、記録装置３および給紙カセット４が上下に配設されて、給紙カセット４内に積層した状態で収容される記録紙を記録装置３へ給紙して記録した後に、記録紙排出部である記録紙排出トレイ５の右側方より左方向に排出するように構成している。
また、本実施例のファクシミリ装置１０１においては、記録紙排出トレイ５は胴内排紙、すなわち、記録紙排出トレイ５の全部または略全部が装置本体内部空間（読取部２の直下の空間）に配置されており、装置本体外部にはほとんど（または全く）突出していない。従って、ファクシミリ装置１０１の設置スペースを小さく抑えることが可能である。
【００１５】
一方、読取部２においては、読取ケース１３内に原稿等の内容を読み取るための読取装置を収納しており、該読取ケース１３上面の原稿載置台に載置された原稿を該読取装置により走査して、読み取りを行うようにしている
また、読取ケース１３の上方には、装置本体奥側の一辺を中心として開閉可能に構成される原稿押えカバー７が配置され、該原稿押えカバー７により読取ケース１３上面の原稿載置台に載置された原稿を上方から押えるものとしている。
【００１６】
さらに、原稿押えカバー７の一端部には原稿を自動的に給紙する自動給紙装置（ＡＤＦ装置）８が付設され、原稿供給トレイ９に載置した原稿を自動給紙装置８により一枚ずつピックアップして読取ケース１３上面の一端部へ搬送し、搬送される原稿の内容を読取装置により読み取った後に、原稿押えカバー７の上面に形成される原稿排出トレイ１０へ排出するように構成している。
【００１７】
すなわち、読取部２は、読取装置を走査させて静止原稿を読み取るフラットベッドタイプのスキャナとして用いるとともに、読取装置を位置固定して原稿を給送しながら読み取りを行うシートフィードタイプのスキャナとして用いることができるように構成されている。
【００１８】
なお、読取ケース１３の装置本体手前側には操作部である操作パネル１５が付設され、該操作パネル１５に設けられる各種操作キーの操作により、コピーやファクシミリ送信時における原稿内容の読み取り開始指示や、ファクシミリ送信する際の送信先の入力が行えるようにしている。
【００１９】
また、記録装置３には、該記録装置３への手差し用紙の供給を可能とする、開閉可能なフリートレイ３１が設けられている。
【００２０】
給紙カセット４は、記録紙収容部であるフリーカセット４１、第一オプションカセット４２および第二オプションカセット４３の計三段のカセットを上下方向に積層して収容している。
【００２１】
フリーカセット４１、第一オプションカセット４２および第二オプションカセット４３の装置本体手前側の側面には、それぞれ把手部４１ａ・４２ａ・４３ａが設けられており、装置本体手前側に引き出すことにより開閉し、フリーカセット４１、第一オプションカセット４２および第二オプションカセット４３に記録紙を補充することが可能である。
【００２２】
続いて、本発明の第一実施例について説明する。
本発明の第一実施例は、複数の記録紙収容部であるフリーカセット４１、第一オプションカセット４２および第二オプションカセット４３と、装置本体の手前側に配置した操作部である操作パネル１５とを備え、記録紙収容部から取り出した記録紙に画像を記録した後、記録済みの記録紙を、左右方向より記録紙排出部である記録紙排出トレイ５に排出する画像記録装置であって、複数の記録紙収容部間で、収容される記録紙のサイズが同一または異なる場合に関わらず、各記録紙収容部に収容された記録紙の装置本体手前側の縁部を揃える手段を備えた画像記録装置である。
【００２３】
なお、フリーカセット４１、第一オプションカセット４２および第二オプションカセット４３の構成は略同じであることから、以下では図２および図３に示す第二オプションカセット４３について詳細説明し、フリーカセット４１、第一オプションカセット４２については説明を省略する。
【００２４】
図２に示す如く、本発明の第一実施例においては、各記録紙収容部に収容された記録紙の装置本体手前側の縁部を揃える手段として、記録紙収容部（第二オプションカセット４３）内の装置本体手前側には固定式の第一位置決め部材である位置決め壁２０が設けられ、同じく記録紙収容部（第二オプションカセット４３）内の装置本体奥側に設けられた可動式の第二位置決め部材である押し当て部材２１により、記録紙を位置決め壁２０に押し当てる。
【００２５】
第二オプションカセット４３の内部には前記位置決め壁２０および押し当て部材２１の他にも、フラッパ２２、下流側位置決め部材２３、フィードローラ２４などが設けられている。
なお、本実施例の第二オプションカセット４３は、右方向に記録紙を繰り出す構成であるが、左方向に記録紙を繰り出す構成としてもよく、限定されない。
【００２６】
フラッパ２２は本実施例においては左端の装置本体手前側および奥側にて第二オプションカセット４３の筐体に回動可能に枢着される。また、バネなどの弾性体により、フラッパ２２の右端部が上方へ回動する方向に付勢されている。
【００２７】
下流側位置決め部材２３は、第二オプションカセット４３の筐体底面に設けられた螺孔４３ｂにネジ２３ａによりネジ止め固定可能に構成されている。
また、第二オプションカセット４３の筐体底面に設けられた螺孔４３ｂ・４３ｂ・・・は、左右方向に複数個設けられている。従って、記録紙のサイズに応じて下流側位置決め部材２３をネジ止め固定する位置を変えることにより、異なるサイズの記録紙を第二オプションカセット４３内に収容する際にも、本実施例においてフィードローラ２４により繰り出される記録紙の右縁部が左右方向において略同じ位置に来るように構成されている。
【００２８】
なお、フラッパ２２と下流側位置決め部材２３とが互いに干渉しないように、フラッパ２２には複数の開口部２２ａ・２２ａ・・・が穿設されている。
また、本実施例においては下流側位置決め部材２３はネジ止めする位置を変えることにより、異なるサイズの記録紙の左縁部（搬送経路の下流側縁部）を位置決めする構成としたが、第二オプションカセット４３の底面に長手方向が左右方向となるガイドを形成し、該ガイドに摺動可能に下流側位置決め部材が嵌合する構成としてもよい。
【００２９】
フィードローラ２４は第二オプションカセット４３の右端部上方に回転可能に枢着され、フラッパ２２上に積層された状態で第二オプションカセット４３内に収容されている記録紙の最上の一枚を記録装置３へ繰り出すものである。フィードローラ２４の回転軸の装置本体奥側には係合部材が設けられており、第二オプションカセット４３を給紙カセット４に完全に収納したときに装置本体側の係合部材と係合する。そして、装置本体側の係合部材は、装置本体側に設けられたアクチュエータにより回転可能に構成されており、該アクチュエータの駆動によりフィードローラ２４の回転駆動を行う。
【００３０】
位置決め壁２０は、上面が開口した略箱形の部材である第二オプションカセット４３の筐体における装置本体手前側の内壁面（図２中の斜線で示す部分）である。
そして、記録紙収容部であるフリーカセット４１、第一オプションカセット４２および第二オプションカセット４３を全て給紙カセット４に完全に収納したときに、フリーカセット４１、第一オプションカセット４２および第二オプションカセット４３にそれぞれ設けられている位置決め壁２０・２０・２０は、平面視で略同一平面となるように形成されている。
【００３１】
一方、押し当て部材２１は、第二オプションカセット４３の底面に設けられており、その板面は位置決め壁２０と略平行である。また、第二オプションカセット４３の底面には、長手方向が装置本体の前後方向（装置本体奥側から手前側の方向）となるガイド２５・２５が形成され、該ガイド２５・２５に、押し当て部材２１が摺動可能に嵌合している。従って、押し当て部材２１は装置本体奥側から手前側の方向（矢印Ａの方向）および矢印Ａの逆方向に摺動可能である。
【００３２】
例えば、フリーカセット４１、第一オプションカセット４２および第二オプションカセット４３にそれぞれ異なるサイズの記録紙３１・３２・３３を収納した場合、フリーカセット４１、第一オプションカセット４２および第二オプションカセット４３にそれぞれ設けられた押し当て部材２１・２１・２１の板面を記録紙３１・３２・３３の装置本体奥側の縁部に当接させつつ、記録紙３１・３２・３３の装置本体手前側の縁部が位置決め壁２０・２０・２０に当接する位置まで押し当て部材２１・２１・２１を摺動させる。
すると、記録紙３１・３２・３３の装置本体手前側縁部は、フリーカセット４１、第一オプションカセット４２および第二オプションカセット４３を給紙カセット４に完全に収納したときに平面視で一致する。
【００３３】
本発明のファクシミリ装置１０１の場合、給紙カセット４から繰り出された記録紙３１・３２・３３は、記録装置３にて記録した後に、記録紙排出トレイ５に排出されるまでの搬送経路において、装置本体の左右方向および上下方向に移動するが、装置本体の前後方向（すなわち、装置本体手前側および奥側の方向）には移動しない。
したがって、記録紙排出トレイ５に排出された記録済みの記録紙３１・３２・３３は図３に示す如く、装置本体手前側の縁部３１ａ・３２ａ・３３ａが揃った状態となる。
【００３４】
なお、図３においては本実施例では記録紙排出トレイ５の右端部５ａにおいて、異なるサイズの記録紙３１・３２・３３の右縁部も揃っている。これは、図１に示す如く、記録紙排出トレイ５の右半部が下方に傾斜しており、記録紙排出トレイ５の右端５ａより位置決め用の壁が立設され、該壁の上方に設けられた排出ローラが回転して、記録紙排出トレイ５に記録済みの記録紙を右側方より左方向に向けて排出するためである。
【００３５】
このように構成することにより、記録紙の搬送方向が左右方向および上下方向となる構成の画像記録装置において、記録紙収容部であるフリーカセット４１、第一オプションカセット４２および第二オプションカセット４３にそれぞれ異なるサイズの記録紙を収容した場合でも、記録紙排出トレイ５に排出された時点で、記録済みの記録紙の装置本体手前側縁部は平面視において同一平面内に揃っており、通常、作業者が装置本体手前側に立ち、装置本体奥側から手前側に記録済みの記録紙を取り出す作業を行う際の作業性が良い。また、小サイズの記録紙の場合でも、装置本体手前側の縁部が揃えられていることから、装置本体手前側に立つ作業者からの視認性に優れている。
【００３６】
なお、本実施例においては固定式の第一位置決め部材である位置決め壁２０はフリーカセット４１・第一オプションカセット４２、第二オプションカセット４３の筐体と一体的に形成されていたが、第一位置決め部材を別部材としてネジ止め等の方法で固設しても良い。
【００３７】
続いて、本発明の第二実施例について説明する。
本発明の第二実施例は、複数の記録紙収容部であるフリーカセット４１・第一オプションカセット４２、第二オプションカセット４３と、装置本体の手前側に配置した操作部である操作パネル１５とを備え、記録紙収容部から取り出した記録紙に画像を記録した後、記録済みの記録紙を、左右方向より記録紙排出部である記録紙排出トレイ５に排出する画像記録装置であって、記録紙排出部に排出された記録済みの記録紙を、記録紙排出部の装置本体手前側に設けられた位置決め部５ｂまで寄せる手段を備えた画像記録装置である。
また、記録済みの記録紙を記録紙排出部上で位置決め部５ｂまで寄せる手段として、可動式の押し当て部材２６により、装置本体奥側から装置本体手前側の位置決め部５ｂに押し当てるものである。
【００３８】
図４から図６に示す如く、本発明の第二実施例の場合、記録紙排出トレイ５の装置本体手前側端部に沿って、位置決め部５ｂが立設されている。また、記録紙排出トレイ５の上面、かつ装置本体奥側に、装置本体の前後方向（装置本体手前方向および装置本体奥方向）に可動する押し当て部材２６が設けられている。
図４および図５に示す如く、押し当て部材２６は記録紙３１が記録紙排出トレイ５に排出される直前には、記録紙３１の装置本体奥側縁部３１ｂが爪部２６ａ上に乗る位置で待機している。
続いて、図６に示す如く、押し当て部材２６は記録紙３１の装置本体手前側の縁部３１ａが位置決め部５ｂに当接する位置まで、矢印Ａの方向（装置本体手前側）へ摺動する。
【００３９】
このとき、最初に記録紙３１が乗るときの押し当て部材２６の位置（押し当て部材２６の待機位置）、および位置決め部５ｂに記録紙３１が当接するまで押し当て部材２６が摺動する距離は、排出される記録紙のサイズに応じて変化するように構成されている。
すなわち、本発明の第二実施例においては、図８に示す従来の画像記録装置と略同様に、記録紙はセンター揃え（記録紙のサイズに関わらず画像記録装置の前後方向のセンターが揃った状態）で記録紙排出トレイ５上に排出されるが、該記録紙排出トレイ５上に排出される記録紙の奥側縁部が、押し当て部材２６の爪部２６ａ上に来る位置で押し当て部材２６が待機しているのである。
さらに、押し当て部材２６と記録紙排出トレイ５の上面とは隙間２７が形成されるとともに、記録紙排出トレイ５に堆積している記録済みの記録紙の量に応じて該隙間２７の大きさを可変、すなわち記録紙排出トレイ５に対する押し当て部材２６の高さを調整可能に構成している。
爪部２６ａの上面は側面視で略水平または装置本体手前側へ向けてやや下降する傾斜面となっており、押し当て部材２６が退避する時に押し当て部材２６に伴って装置本体奥側へ記録紙が移動しないように構成される。
また、記録紙が爪部２６ａ上に着地した時に、装置本体手前側に滑り落ちない程度に爪部２６ａの前後方向の長さが確保されている。
従って、待機位置にある押し当て部材２６の爪部２６ａ上に記録紙の装置本体奥側縁部が乗った状態から、記録紙の装置本体手前側縁部が位置決め部５ｂに当接する位置まで、押し当て部材２６を装置本体手前側へ摺動させる。次に、押し当て部材２６を装置本体奥側へ摺動させると、記録紙は位置決め部５ｂに当接したままで、押し当て部材２６のみが装置本体奥側へ摺動する。
【００４０】
このように構成することにより、サイズが異なることによって、記録紙排出トレイ５に排出された時点で、記録紙の装置本体手前側縁部が平面視において同一平面内に揃っていない場合でも、爪部２６ａ上に記録紙の一部が乗った状態での押し当て部材２６の摺動により、位置決め部５ｂに当接した状態で装置手前側の縁部を揃えることが可能である。
また、サイズの大きい記録紙が記録紙排出トレイ５に排出された後、サイズの小さい記録紙が記録紙排出トレイ５に排出される場合でも、記録紙の装置手前側の縁部を揃えることが可能である。
従って、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００４１】
なお、記録紙排出トレイに摺動可能に設けられた押し当て部材により記録紙排出トレイの装置本体手前側に設けられた位置決め部材に記録紙を押し当てて記録紙の装置本体手前側縁部を揃える手段としては、図４から図６に示す手段の他にも、押し当て部材が、記録紙の装置本体手前側縁部が位置決め部材に当接する位置まで摺動しない代わりに、勢いよく押し当て部材が摺動することにより、反動で記録紙を位置決め部材に当接する位置まで移動させるといった手段が考えられる。このような手段の場合は、押し当て部材の下に隙間を形成する必要はない。
【００４２】
続いて、本発明の第三実施例について説明する。
本発明の第三実施例は、フリーカセット４１・第一オプションカセット４２、第二オプションカセット４３と、装置本体の手前側に配置した操作部である操作パネル１５とを備え、記録紙収容部から取り出した記録紙に画像を記録した後、記録済みの記録紙を、左右方向より記録紙排出部である記録紙排出トレイ５に排出する画像記録装置であって、記録紙排出部に排出された記録済みの記録紙を、記録紙排出部の装置本体手前側に設けられた位置決め部５ｂまで寄せる手段を備えた画像記録装置である。
また、記録済みの記録紙を位置決め部５ｂまで寄せる手段として、記録紙排出部である記録紙排出トレイ５の排出面（上面）を、装置本体手前側が低くなるように傾斜させたものである。
【００４３】
例えば図７に示す如く、記録紙排出トレイ５の排出面（上面）のうち、本体手前側の略半分を装置本体手前側端部に立設された位置決め部５ｂに向かって下方に傾斜させる。さらに、記録紙排出トレイ５の右端部５ａより記録済みの記録紙が排出される排出口（図示せず）にかけて、壁面２９（図７中の斜線部）を形成し、記録紙排出トレイ５の右半部を右端部５ａに向かって下方に傾斜させる。
【００４４】
従って、記録紙排出トレイ５上に排出された記録済みの記録紙は、自重により角部５ｃに向かって移動する。結果的には、記録紙のサイズに関わらず、記録紙の装置本体手前側の縁部が揃った状態となる。
【００４５】
このように構成することにより、サイズが異なることによって、記録紙排出トレイ５に排出された時点で、記録紙の装置本体手前側縁部が平面視において同一平面内に揃っていない場合でも、記録紙の自重により、位置決め部５ｂに当接した状態で装置手前側の縁部を揃えることが可能である。従って、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００４６】
【発明の効果】
本発明は、以上のように構成したので、以下に示すような効果を奏する。
【００４７】
即ち、請求項１に示す如く、装置本体の手前側に操作部を備え、記録済みの記録紙を、左右方向より記録紙排出部に排出する画像記録装置であって、
記録紙のサイズに関わらず、記録紙排出部上の記録済みの記録紙を、装置本体手前側の縁部が揃った状態とする手段を備えたので、該複数の記録紙収容部にそれぞれ異なるサイズの記録紙を収容した場合でも、記録紙が記録紙排出部にて積層されたときには記録済みの記録紙の装置本体手前側縁部は揃っており、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００４８】
請求項２に示す如く、複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、
該複数の記録紙収容部間で、収容される記録紙のサイズに関わらず、各記録紙収容部に収容された記録紙の装置本体手前側の縁部を平面視において同一平面内に揃える手段を備えたので、該複数の記録紙収容部にそれぞれ異なるサイズの記録紙を収容した場合でも、記録紙排出部に排出されたときには記録済みの記録紙の装置本体手前側縁部は揃っており、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００４９】
請求項３に示す如く、記録紙収容部に収容された記録紙の装置本体手前側の縁部を平面視において同一平面内に揃える手段として、該記録紙収容部の装置本体手前側には固定式の第一位置決め部材が設けられ、装置本体奥側に設けられた可動式の第二位置決め部材により、記録紙を第一位置決め部材に押し当てるので、該複数の記録紙収容部にそれぞれ異なるサイズの記録紙を収容した場合でも、記録紙排出部に排出されたときには記録済みの記録紙の装置本体手前側縁部は揃っており、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００５０】
請求項４に示す如く、複数の記録紙収容部と、装置本体の手前側に配置した操作部とを備え、記録紙収容部から取り出した記録紙に画像を記録した後、記録済みの記録紙を、左右方向より記録紙排出部に排出する画像記録装置であって、
記録紙排出部に排出された記録済みの記録紙を、記録紙排出部の装置本体手前側に設けられた位置決め部まで寄せる手段を備えたので、記録紙排出部に排出された時点で装置本体手前側縁部が平面視において同一平面内に揃っていない場合でも、位置決め部まで寄せる手段により、記録紙の装置本体手前側の縁部は位置決め部に当接した状態となり、記録紙の装置本体手前側の縁部を揃えることが可能である。従って、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００５１】
請求項５に示す如く、前記記録済みの記録紙を位置決め部まで寄せる手段として、可動式の押し当て部材により、装置本体奥側から記録済みの記録紙を装置本体手前側の位置決め部に押し当てるので、記録紙排出部に排出された時点で装置本体手前側縁部が平面視において同一平面内に揃っていない場合でも、押し当て部材により、記録紙の装置本体手前側の縁部は位置決め部に当接した状態となり、記録紙の装置本体手前側の縁部を揃えることが可能である。従って、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【００５２】
請求項６に示す如く、前記記録済みの記録紙を位置決め部まで寄せる手段として、記録紙排出部の排出面を、装置本体手前側が低くなるように傾斜させたので、記録紙排出部に排出された時点で装置本体手前側縁部が平面視において同一平面内に揃っていない場合でも、記録紙は自重により位置決め部に当接した状態となって、記録紙の装置本体手前側の縁部を揃えることが可能である。従って、通常、作業者が装置本体手前側に立ち、装置本体奥側から手前側に記録済みの記録紙を取り出す作業を行う際の作業性が良い。
また、小サイズの記録紙の場合でも、装置本体手前側の縁部が揃えられていることから、装置本体手前側に立つ作業者からの視認性に優れている。
【図面の簡単な説明】
【図１】本発明の実施の一形態である画像記録装置の全体斜視図。
【図２】本発明の第一実施例における第二オプションカセットを示す斜視図。
【図３】本発明の実施の一形態である画像記録装置の記録紙排出トレイに排出された記録紙を示す模式図。
【図４】本発明の第二実施例における記録紙排出トレイの平面模式図。
【図５】本発明の第二実施例における待機状態の押し当て部材を示す側面模式図。
【図６】本発明の第二実施例における縁部揃え時の押し当て部材を示す側面模式図。
【図７】本発明の第三実施例における記録紙排出トレイを示す模式図。
【図８】従来の画像記録装置における記録紙排出トレイの平面模式図。
【符号の説明】
４  給紙カセット
５  記録紙排出トレイ
５ｂ  位置決め部
１５  操作パネル
２０  位置決め壁（第一位置決め部材）
２１  押し当て部材（第二位置決め部材）
２６  押し当て部材
４１  フリーカセット（記録紙収容部）
４２  第一オプションカセット（記録紙収容部）
４３  第二オプションカセット（記録紙収容部）
１０１  ファクシミリ装置
【図１】
2004168471.tif 000003
【図２】
2004168471.tif 000004
【図３】
2004168471.tif 000005
【図４】
2004168471.tif 000006
【図５】
2004168471.tif 000007
【図６】
2004168471.tif 000008
【図７】
2004168471.tif 000009
【図８】
2004168471.tif 000010